(57)【特許請求の範囲】
【請求項１】
金型から成形品を払出すためのノックアウトピンと、このノックアウトピンの中間部をガイドし且つガイド孔に沿って進退動自在なガイド部材を備えたワーク払出し装置であって、前記ガイド部材は、ノックアウトピンに係脱自在な係脱機構を備えるとともに、前記ノックアウトピンの基端部には、所定ストローク前進した時点から原位置のガイド部材を押圧する押圧部が設けられ、前記係脱機構は、ノックアウトピンの前進時には係合が外れてノックアウトピンとガイド部材が分離状態となり、ノックアウトピンの後退時には係合してノックアウトピンとガイド部材が連動状態になり、またガイド部材が原位置に戻った時点で係合が外れて分離状態になるようにされることを特徴とするワーク払出し装置。
【請求項２】
請求項１に記載のワーク払出し装置において、前記係脱機構は、前記ガイド部材の基端面側のテーパ穴部内に弾性部材を介して内装され且つ弾性部材の力に抗して一方側に移動するとノックアウトピンとの係合が外れ、他方側に移動するとノックアウトピンに係合する係脱部材と、前記テーパ穴部の開口を通して係脱部材を一方側に押圧可能なアンロック部材から構成されることを特徴とするワーク払出し装置。
【発明の詳細な説明】
【０００１】
【発明の属する技術分野】
本発明は、例えば鍛造金型により成形した長尺軸状ワークを払出すのに好適なワーク払出し技術に関する。
【０００２】
【従来の技術】
従来、例えば図４（ａ）に示すような鍛造金型５１で長尺軸状ワークＷを成形した後、金型５１から払出す際、長いノックアウトピン５２で押出すようにしているが、細くて長いノックアウトピン５２の座屈を防止するため、中間部をガイド部材５３でガイドするのが一般的であり、また、ノックアウトピン５２の押出しストロークを長く確保するため、ガイド部材５３をスライド式にし、図４（ｂ）に示すように、最終的にガイド部材５３もノックアウトピン基端部の押圧部５２ｐで押圧し、押出し方向にスライドさせることが多い。
【０００３】
このようなワーク払出し方式の場合、払出しが完了してノックアウトピン５２を後退させると、図４（ｃ）に示すように、ガイド部材５３はその位置に留まり、次の押出し時にガイドの役割を果たすことが出来ないため、例えば、ガイド部材５３の前方にスプリング等を配設して、ノックアウトピンが後退すると、スプリング力により強制的に原位置に復帰させるような方法や、特開平１１−１５６４７５号のようにノックアウトピンの中間部に段差を設け、ノックアウトピンが後退する際にガイド部材を段差に引掛けて強制的に復帰させるような方法等が知られている。
【０００４】
【発明が解決しようとする課題】
しかしながら、前者のようにガイド部材の前方にスプリングを配設すると、スプリングの収縮分だけノックアウトストローク長が減じることになり、また、後者のようにノックアウトピンの中間部に段差を形成すると、段差部に応力が集中して折損等を生じ易く、また、ワークの長さが変更される場合等においてノックアウトストロークを容易に調整出来ないという問題がある。
【０００５】
そこで本発明は、ノックアウトストロークが充分確保され、またノックアウトストローク量を容易に調整出来るワーク払出し装置の提供を目的とする。
【０００６】
【課題を解決するための手段】
上記目的を達成するため本発明は、金型から成形品を払出すためのノックアウトピンと、このノックアウトピンの中間部をガイドし且つガイド孔に沿って進退動自在なガイド部材を備えたワーク払出し装置において、前記ガイド部材には、ノックアウトピンに係脱自在な係脱機構を設けるとともに、ノックアウトピンの基端部には、所定ストローク前進した時点から原位置のガイド部材を押圧する押圧部を設け、前記係脱機構として、ノックアウトピンの前進時には係合が外れてノックアウトピンとガイド部材が分離状態となり、ノックアウトピンの後退時には係合してノックアウトピンとガイド部材が連動状態になり、またガイド部材が原位置に戻った時点で係合が外れて分離状態になるようにした。
【０００７】
そして、成形品を成形した後ノックアウトピンを前進させ、所定ストローク前進した時点から原位置のガイド部材をノックアウトピンの押圧部で押圧して前進させ、払出し完了後ノックアウトピンの後退を開始すると同時に係脱機構によりガイド部材をノックアウトピンに係合させてガイド部材と共に後退させ、ガイド部材が原位置まで後退した時点で、アンロック部材によりノックアウトピンとガイド部材の係合を解除してノックアウトピンだけ後退させるようにする。
こうすることでノックアウトストロークを充分確保出来るとともに、ノックアウトストローク量が変化しても対応可能である。
【０００８】
ここで係脱機構としては、請求項２のように、ガイド部材の基端面側のテーパ穴部内に弾性部材を介して係脱部材を内装し、係脱部材が弾性部材の力に抗して一方側に移動するとノックアウトピンとの係合が外れ、他方側に移動するとノックアウトピンに係合するようにするとともに、テーパ穴部の開口を通して係脱部材を一方側に押圧可能なアンロック部材を設ければ好適である。
【０００９】
【発明の実施の形態】
本発明の実施の形態について添付した図面に基づき説明する。
ここで図１は本発明に係るワーク払出し装置の作用を説明する説明図、図２は係脱機構の説明図で（ａ）は部分断面図、（ｂ）は（ａ）のＸ−Ｘ線断面図、図３は係脱機構の作用図で、中央から上部はノックアウトピンとガイド部材の係合が外れた状態、中央から下部はノックアウトピンとガイド部材が係合した状態を示す。
【００１０】
本発明に係るワーク払出し装置は、例えば鍛造金型で長尺状のワークを成形した後、金型からワークを排出する際、長いノックアウトピンでも座屈等を生じることなく、また、ノックアウトストローク量が変更になっても容易に調整出来るようにされ、ノックアウトピンの中間部をガイドするガイド部材の係脱機構に特徴を有している。
【００１１】
すなわち、本ワーク払出し装置１は、図１（ａ）に示すように、押出し加工用の鍛造金型２から長尺状のワークＷを排出する装置として構成され、エジェクタロッド３の先端に押圧部４を介して一体化される細径のノックアウトピン５と、このノックアウトピン５の中間部外周をガイドするガイド部材６を備えるとともに、ノックアウトピン５の先端はダイス２ｄの成形孔ｈ内部に臨んでいる。
【００１２】
そして、鍛造金型２のビレット投入部ｂから投入されるビレットＷに対し、加圧力を加えてダイス２ｄの成形孔ｈに押し込んで長尺状のワークＷを成形し、成形が完了するとエジェクターロッド３を前進させてノックアウトピン５によりワークＷを排出するとともに、次のビレットＷを投入して成形する際、前進したノックアウトピン５は、成形孔ｈ内に押し出されるワークＷに押されて後退するようにしている。
【００１３】
前記押圧部４の径は、ノックアウトピン５の径より大きく且つガイド部材６の径より小さい中径にされるとともに、前記ガイド部材６の径は大径にされ、また、押圧部４は中径の第１摺動孔７内でスライド自在となり、ガイド部材６はガイド孔としての大径の第２摺動孔８内でスライド自在にされている。そして第１摺動孔７と第２摺動孔８の境目には、段部ｄが形成されている。
【００１４】
ガイド部材６には、ノックアウトピン５とガイド部材６を係合させて両者を結合状態にしたり、係合を外して両者を分離状態にしたりすることの出来る係脱機構１０が設けられている。
【００１５】
そしてこの係脱機構１０は、図２に示すように、ガイド部材６の基端面側に設けられ且つ開口部側に向けて広がるテーパ穴ｔと、このテーパ穴ｔの奥側に内装される弾性部材１１と、その外側に円周状に配設される係脱部材としてのボール１２と、このボール１２をテーパ穴ｔの内部に押し込むことの出来るアンロック部材１３を備えており、ガイド部材６とアンロック部材１３の中心部には、ノックアウトピン５を挿通せしめることの出来る挿通孔が形成されて、ノックアウトピン５が挿通している。
【００１６】
そして、図３にも示すように、アンロック部材１３がガイド部材６から離れた位置にあると（図３の下半分部分）、弾性部材１１の付勢力によりボール１２がテーパ穴ｔの開口部側に押し出されることでボール１２とノックアウトピン５が係合してノックアウトピン５とガイド部材６が結合状態となり、アンロック部材１３がガイド部材６側に向けて移動すると（図３の上半分部分）、ガイド部材１３の突起部１３ｔがガイド部材５のテーパ穴ｔの内部に入り込んで弾性部材１１を押し縮めながらボール１２をテーパ穴ｔの内部に向けて押し込むことでボール１２とノックアウトピン５の係合が外れてノックアウトピン５とガイド部材６が分離状態になるようにしている。
【００１７】
以上のようなワーク払出し装置１の作用等について図１に基づき説明する。
鍛造金型２のビレット投入部ｂからビレットＷを投入し、加圧力を加えて成形孔ｈ内に押し込み長尺状のワークＷを成形する。
【００１８】
成形が完了してワークＷを払出す際、図１（ａ）に示すように、エジェクタロッド３を前進させ、ノックアウトピン５によりワークＷを押し出す。この押し出しの初期において、ガイド部材６の係脱機構１０は、右方の拡大図に示すように、アンロック部材１３とガイド部材６が近接状態にあり、アンロック部材１３の突起部１３ｔがテーパ穴ｔの内部に入り込んでボール１２を内部に押し込んだ状態にあるため、ガイド部材６とノックアウトピン５は分離状態にある。
【００１９】
このため、当初はノックアウトピン５だけが前進し、ガイド部材６は原位置にあるが、押し出しの途中で押圧部４がアンロック部材１３の位置まで前進すると、アンロック部材１３とガイド部材６は押圧部４に押されて前進を開始する。そして最終的にガイド部材６とアンロック部材１３は第２摺動孔８の端部まで移動する。
【００２０】
ここで、ノックアウトピン５の前進ストロークを制約する要素は、ガイド部材６とアンロック部材１３の厚みだけであるため、充分なストローク量が確保される。
【００２１】
次に、次回のビレットＷをビレット投入部ｂから投入し、加圧力を加えて長尺状のワークＷを成形すると、成形孔ｈに押し込まれたワークＷはノックアウトピン５を押圧し、ノックアウトピン５を後退させる。
そしてノックアウトピン５が後退して押圧部４がアンロック部材１３から離れると、図１（ｂ）の右方の拡大図に示すように、弾性部材１１の付勢力によりガイド部材６とアンロック部材１３が離脱し、ボール１２とノックアウトピン５が係合して、ガイド部材６とノックアウトピン５が結合一体化され、ガイド部材６も後退を始める。
【００２２】
そして、アンロック部材１３が第２摺動孔８の基端部の段部ｄまで後退し、更にノックアウトピン５とガイド部材６が後退すると、図１（ｃ）に示すように、アンロック部材１３とガイド部材６が近接し、突起部１３ｔがボール１２を押圧してボール１２とノックアウトピン５の係合が外れる。すなわち、ノックアウトピン５だけが後退できるようになり、ノックアウトピン５とエジェクタロッド３は、図１（ａ）の原位置に復帰する。
【００２３】
そして成形されたワークＷを押し出す際は、図１（ａ）に示す状態から前記と同様な手順で行われる。
【００２４】
以上のような要領により、成形されたワークＷを押し出す際はノックアウトピン５とガイド部材６の係合が外れ、ノックアウトピン５が後退するときはガイド部材６がノックアウトピン５と係合して連動して原位置に復帰するようにしたため、長いノックアウトピン５が座屈等を起こすことなく、しかも長いストロークで押し出すことが出来るとともに、ストローク量が変更になっても対応することが出来る。
【００２５】
尚、本発明は以上のような実施形態に限定されるものではない。本発明の特許請求の範囲に記載した事項と実質的に同一の構成を有し、同一の作用効果を奏するものは本発明の技術的範囲に属する。
例えば係脱機構１０のボール１２の代わりに、ガイドキーのような円柱状、半球状部材等を使用しても良く、またテーパ穴ｔの開口部は円形に限られず、十文字形状等でも良い。
更に、弾性部材１１の素材等は、弾性力が得られれば任意である。
【００２６】
【発明の効果】
以上のように本発明に係るワーク払出し装置は、ノックアウトピンの座屈等を防止するためのガイド部材に係脱機構を設け、ノックアウトピンの前進時には係合が外れてノックアウトピンとガイド部材が分離状態となり、ノックアウトピンの後退時には係合してノックアウトピンとガイド部材が連動状態になるようにしたため、充分なノックアウトストローク量を確保出来るとともに、ノックアウトストローク量が変化しても対応可能となった。
そして請求項２のような係脱機構にすることで、簡素な構成にすることが出来る。
【図面の簡単な説明】
【図１】本発明に係るワーク払出し装置の作用を説明する説明図
【図２】係脱機構の説明図で（ａ）は部分断面図、（ｂ）は（ａ）のＸ−Ｘ線断面図
【図３】係脱機構の作用図で、上半分はノックアウトピンとガイド部材の係合が外れた状態、下半分はノックアウトピンとガイド部材が係合した状態
【図４】ワーク払出し装置の従来図
【符号の説明】
１…ワーク払出し装置、２…鍛造金型、４…押圧部、５…ノックアウトピン、６…ガイド部材、１０…係脱機構、１１…弾性部材、１２…ボール、１３…アンロック部材、ｔ…テーパ穴、Ｗ…ワーク。
【図１】
0003737013.tif 000002
【図２】
0003737013.tif 000003
【図３】
0003737013.tif 000004
【図４】
0003737013.tif 000005